(57)【要約】【課題】ユーザに対して鍵の管理を強いることなく施錠又は開錠を可能とする。【解決手段】ユーザが身に付けているか又は携行している物品を特定するための情報を予め取得する第一取得装置３１と、施錠又は開錠時にユーザが身に付けているか又は携行している物品を特定するための情報を取得する第二取得装置５４と、第二取得装置５４により取得された情報により特定される物品が、第一取得装置３１により取得された情報により特定される物品の中の所定の組み合わせを含むときに開錠する制御装置５３，５６と、を備える。【選択図】図１
2011132674.tif 000002
【特許請求の範囲】
【請求項１】
ユーザが身に付けているか又は携行している物品を特定するための情報を予め取得する第一取得装置と、
施錠又は開錠時にユーザが身に付けているか又は携行している物品を特定するための情報を取得する第二取得装置と、
前記第二取得装置により取得された情報により特定される物品が、前記第一取得装置により取得された情報により特定される物品の中の所定の組み合わせを含むときに開錠する制御装置と、
を備えることを特徴とする車両用錠制御装置。
【請求項２】
前記第一取得装置及び前記第二取得装置は、前記物品に夫々取り付けられ且つ前記物品を識別するための情報が記憶されているＲＦＩＤタグから前記物品を特定するための情報を取得することを特徴とする請求項１に記載の車両用錠制御装置。
【請求項３】
ユーザが身に付けているか又は携行している物品の夫々に設定される数値であって該ユーザを識別する上での価値の大きさに応じた数値である係数を記憶している係数データベースと、
前記第一取得装置により取得された情報により特定される物品の夫々に設定されている前記係数の積算値を算出する開錠条件リスト生成部と、
前記開錠条件リスト生成部により算出される積算値を記憶する開錠条件リスト記憶部と、
を備え、
前記制御装置は、前記第二取得装置により取得された情報により特定される物品の夫々に設定されている前記係数の積算値を算出し、この積算値が、前記開錠条件リスト記憶部に記憶されている積算値に対して所定の割合以上のときに開錠することを特徴とする請求項１または２に記載の車両用錠制御装置。
【請求項４】
正規のユーザであるか否か判断する他の認証手段を備え、
前記第二取得装置により取得された情報により特定される物品の夫々に設定されている前記係数の積算値が、前記開錠条件リスト生成部により算出される積算値に対して所定の割合未満のときであっても、該所定の割合よりも小さい第二の所定の割合以上であり且つ前記他の認証手段による認証が成功した場合には開錠することを特徴とする請求項３に記載の車両用錠制御装置。
【請求項５】
ユーザが身に付けているか又は携行している物品を特定するための情報を予め取得する第一工程と、
施錠又は開錠時にユーザが身に付けているか又は携行している物品を特定するための情報を取得する第二工程と、
前記第二工程により取得された情報により特定される物品が、前記第一工程により取得された情報により特定される物品の中の所定の組み合わせを含むときに開錠する第三工程と、
を含むことを特徴とする車両用錠制御方法。
【発明の詳細な説明】
【技術分野】
【０００１】
本発明は、車両用錠制御装置及び車両用錠制御方法に関する。
【背景技術】
【０００２】
ユーザによりオンまたはオフ操作される複数のスイッチを使用し、該複数のスイッチのオンまたはオフの組み合わせを予め記憶しておき、ユーザの操作によるスイッチのオンまたはオフの組み合わせが予め記憶しておいた組み合わせと一致したときに開錠する技術が知られている（例えば、特許文献１参照。）。この技術では、鍵の紛失により第三者に施錠または開錠されないようにすることができる。また、鍵を持ち歩く必要がなくなる。しかし、ユーザはスイッチの組み合わせを記憶しておかなくてはならず、この組み合わせを忘れてしまうと、たとえ正規のユーザであっても施錠及び開錠をすることができなくなる。
【０００３】
また、複数の鍵を組み合わせることにより施錠及び開錠する技術が知られている（例えば、特許文献２参照。）。この技術では、鍵を一つでも紛失すると施錠及び開錠することができなくなってしまう。このように、施錠及び開錠するために専用の鍵を用いる場合には、該鍵を紛失してしまうと正規のユーザであっても施錠及び開錠ができなくなる。
【先行技術文献】
【特許文献】
【０００４】
【特許文献１】特開２００４−１９７４９０号公報
【特許文献２】特開２００４−１１１１６号公報
【発明の概要】
【発明が解決しようとする課題】
【０００５】
本発明は、上記したような問題点に鑑みてなされたものであり、その目的は、ユーザに対して鍵の管理を強いることなく施錠又は開錠を可能とすることにある。
【課題を解決するための手段】
【０００６】
上記課題を達成するために本発明による車両用錠制御装置は、以下の手段を採用した。すなわち、本発明による車両用錠制御装置は、
ユーザが身に付けているか又は携行している物品を特定するための情報を予め取得する第一取得装置と、
施錠又は開錠時にユーザが身に付けているか又は携行している物品を特定するための情報を取得する第二取得装置と、
前記第二取得装置により取得された情報により特定される物品が、前記第一取得装置により取得された情報により特定される物品の所定の組み合わせを含むときに開錠する制御装置と、
を備えることを特徴とする。
【０００７】
第一取得装置及び第二取得装置が取得する情報は、それ自体では物品を特定することができなくても、データベースに照らし合わせることで物品を特定できる情報であれば良い。例えば物品毎に付与されるユニークな情報であれば良い。物品には、身に付けている物（服、時計、眼鏡等）、ポケットに入れている物（財布等）、手に持っている物（鞄等）、鞄に入れている物（携帯電話等）を含むことができる。
【０００８】
第一取得装置は、ユーザが身に付けている物品や携行している物品を予め把握するため
に情報を取得している。これは、例えばユーザが自宅から外出するときの情報としても良い。このときには、ユーザが身に付けている物品や携行している物品の情報を全て取得しても良いし、予め設定しておいた特定の物品の情報を取得しても良い。なお、情報を取得する物品は複数あったほうが良い。一方、第二取得装置は、施錠又は開錠時に正規のユーザであるか否か判断するための情報を取得している。
【０００９】
そして、制御装置は、第一取得装置及び第二取得装置により取得された情報により特定される物品の比較を行なっている。ここで、外出時に身に付けている物品や携行している物品は、帰宅時まで殆ど変化しないと考えられる。また、外出時に身に付けている物品や携行している物品は、人によって夫々異なる。このことから、正規のユーザが外出時に身に付けている物品や携行している物品と同じ物品を身に付けているか携行しているユーザは、正規のユーザと同一人物であると判断できる。すなわち、第一取得装置及び第二取得装置により特定される物品が一致すれば、正規のユーザであるとして開錠する。
【００１０】
しかし、ユーザが身に付けている物品や携行している物品の中には、紛失し易いものなども存在する。このような物品が不足しているだけで正規のユーザでないと判断してしまうと、実際には正規のユーザであっても開錠されないことが多くなり、不便である。そこで、第二取得装置により特定される物品が、第一取得装置により特定される物品の中の所定の組み合わせを含むときに開錠することとしている。
【００１１】
所定の組み合わせとは、正規のユーザであると判断しても良い組み合わせである。この所定の組み合わせは、複数存在していても良い。物品には、上述のように紛失し易いものも存在すれば、下着やズボンのように常に身に付けていて紛失することが殆どないものも存在する。従って、所定の組み合わせの中には、正規のユーザであれば身に付けているか携行しているのが当然の物品や、身に付けているか携行している可能性の高い物品が含まれる。また、所定の組み合わせを含んでいれば良いため、所定の組み合わせの他に、他の物品が含まれていても良い。
【００１２】
また、本発明においては、前記第一取得装置及び前記第二取得装置は、前記物品に夫々取り付けられ且つ前記物品を識別するための情報が記憶されているＲＦＩＤタグから前記物品を特定するための情報を取得することができる。
【００１３】
物品に夫々ユニークな情報が記憶されているＲＦＩＤタグが取り付けられていれば、該ＲＦＩＤタグから情報を取得することにより物品を特定することができる。また、無線通信により情報を取得することができるため、ポケットに入れた物品等の外部から見えない物品の情報も取得することができる。
【００１４】
また、本発明においては、ユーザが身に付けているか又は携行している物品の夫々に設定される数値であって該ユーザを識別する上での価値の大きさに応じた数値である係数を記憶している係数データベースと、
前記第一取得装置により取得された情報により特定される物品の夫々に設定されている前記係数の積算値を算出する開錠条件リスト生成部と、
前記開錠条件リスト生成部により算出される積算値を記憶する開錠条件リスト記憶部と、
を備え、
前記制御装置は、前記第二取得装置により取得された情報により特定される物品の夫々に設定されている前記係数の積算値を算出し、この積算値が、前記開錠条件リスト記憶部に記憶されている積算値に対して所定の割合以上のときに開錠することができる。
【００１５】
上述のように紛失し易い物品も存在すれば、常に身に付けていて紛失することが殆どな
い物品も存在する。そこで、正規のユーザが開錠時に身に付けているか又は携行している可能性が高い物については、ユーザを識別する上での価値が大きいものとして重み付けを行なって係数を設定している。なお、ユーザを識別する上での価値が大きいほど、係数は大きな値となる。物品と係数との関係は予め設定しておき、係数データベースに記憶しておく。そして、第一取得装置により得られる物品の係数の積算値は、開錠の条件を定めるための基準となる。第一取得手段により得られる係数の積算値は記憶され、その後、第二取得装置により得られる物品の係数の積算値と比較される。
【００１６】
第二取得装置により得られる物品の係数の積算値は、該物品に変化が無ければ開錠条件リスト生成部により算出された積算値と同じになる。しかし、物品に変化があると、第二取得装置により得られる物品の係数の積算値は、不足している物品のユーザを識別する上での価値に応じて小さくなる。すなわち、ユーザを識別する上での価値の大きな物品が不足していれば、それに応じて積算値も小さくなるため、前記所定の割合以上を確保できなくなる可能性が高い。一方、ユーザを識別する上での価値の小さな物品が不足していても、積算値はさほど小さくならないため、前記所定の割合以上を確保できる可能性が高い。すなわち、不足している物品が、ユーザを識別する上での価値が比較的大きな物品である場合には開錠されず、ユーザを識別する上での価値が比較的小さな物品である場合には開錠されることとなる。
【００１７】
従って、紛失し易い物品が不足している場合であっても開錠されるので、正規のユーザであるにも関わらず開錠されないことを抑制できる。また、紛失し易い物品を拾得した第三者が開錠しようとしても、その物品はユーザを識別する上での価値が小さいために係数の積算値は小さくなるので、開錠されることはない。
【００１８】
また、本発明においては、正規のユーザであるか否か判断する他の認証手段を備え、
前記第二取得装置により取得された情報により特定される物品の夫々に設定されている前記係数の積算値が、前記開錠条件リスト生成部により算出される積算値に対して所定の割合未満のときであっても、該所定の割合よりも小さい第二の所定の割合以上であり且つ前記他の認証手段による認証が成功した場合には開錠することができる。
【００１９】
他の認証手段とは、第一取得手段により取得される情報を用いずに、正規のユーザであるか否か判断する手段である。例えば、チャレンジ＆レスポンスによる認証を行う。このような他の認証手段を併用することで、物品の組み合わせのみでは正規のユーザであるか否か判断できない場合であっても、開錠するか否か判断することができる。すなわち、正規のユーザが多くの物品を紛失した場合や、ユーザを識別する上での価値の大きな物品を紛失した場合であっても、他の認証手段により開錠することができる。また、他の認証手段による認証手続は、係数の積算値が小さくて正規のユーザと断定できない場合にのみ行なうので、ユーザの利便性も確保できる。
【００２０】
また、上記課題を達成するために本発明による車両用錠制御方法は、以下の手段を採用した。すなわち、本発明による車両用錠制御方法は、
ユーザが身に付けているか又は携行している物品を特定するための情報を予め取得する第一工程と、
施錠又は開錠時にユーザが身に付けているか又は携行している物品を特定するための情報を取得する第二工程と、
前記第二工程により取得された情報により特定される物品が、前記第一工程により取得された情報により特定される物品の中の所定の組み合わせを含むときに開錠する第三工程と、
を含むことを特徴とする。
【発明の効果】
【００２１】
本発明によれば、ユーザに対して鍵の管理を強いることなく施錠又は開錠が可能となる。
【図面の簡単な説明】
【００２２】
【図１】実施例に係る車両用錠制御装置を示すブロック図である。
【図２】ＩＤと係数との関係の一例を示した図である。
【図３】開錠条件リストの例を示した図である。
【図４】サーバにおける処理のフローを示したフローチャートである。
【図５】開錠条件リストを受信したときの車両部の処理のフローを示したフローチャートである。
【図６】評価値と閾値との関係を示した図である。
【図７】実施例１に係る車両部における処理のフローを示したフローチャートである。
【図８】評価値と閾値との関係を示した図である。
【図９】実施例２に係る車両部における処理のフローを示したフローチャートである。
【発明を実施するための形態】
【００２３】
以下、本発明に係る車両用錠制御装置及び車両用錠制御方法の具体的な実施態様について図面に基づいて説明する。
【実施例１】
【００２４】
図１は、本実施例に係る車両用錠制御装置１を示すブロック図である。本実施例に係る車両用錠制御装置１は、ユーザが身に付けている物品や携行している物品（以下、これらをまとめて所持物品という。）毎に取り付けられているＲＦＩＤタグ２から情報を受信して開錠又は施錠を行なう装置である。なお、本実施例では開錠の場合を例に挙げて説明する。
【００２５】
ＲＦＩＤタグ２には、ＩＤ記憶部２１が備わる。ＩＤ記憶部２１は、物品毎に付与されるＩＤが記憶されている。例えば、シャツ、ズボン、ジャケット、財布、時計、ベルト等のユーザが身に着ける物や、鞄等のユーザが手に持って運ぶ物に対してＲＦＩＤタグ２が夫々取り付けられており、夫々異なるＩＤ（ユニークＩＤ）が付与されている。なお、同種類の物品には同じＩＤが付与されていても良いが、ユーザ毎に所有している物品を把握するために、所有している物品のＩＤを予め後述するサーバ４に記憶しておく。ＲＦＩＤタグ２には、例えばパッシブタグを利用することができるが、アクティブタグ又はセミアクティブタグであっても構わない。
【００２６】
車両用錠制御装置１は、タグリーダ３、サーバ４、車両部５を備えて構成されている。タグリーダ３は、無線通信によりＲＦＩＤタグ２からＩＤを読み取り、この情報を後述するサーバ４へ出力する。このタグリーダ３は、例えば自宅の玄関等その日のユーザの所持物品を特定できる場所に設置される。そして、ユーザが外出するときに、該ユーザの所持物品に取り付けられているＲＦＩＤタグ２からＩＤを読み取る。タグリーダ３は、ＲＦＩＤタグ２からの信号を受信するＩＤ受信部３１、及び後述するサーバ４へＩＤを出力するサーバ通信部３２を備えている。なお、タグリーダ３は、携帯端末に組み込まれていても良い。そうすると、ユーザが外出先で着替えをしたなどで所持物品が変化したであっても新たな所持物品のＩＤをサーバ４へ送信することができる。また、タグリーダ３を複数個所に設置しておき、夫々のタグリーダ３で所持物品のＩＤが読み取られるごとに該ＩＤをサーバ４へ出力しても良い。なお、本実施例ではＩＤ受信部３１が、本発明における第一取得装置に相当する。
【００２７】
サーバ４は、タグリーダ通信部４１、ＩＤリスト生成部４２、係数データベース４３（係数ＤＢ４３）、開錠条件リスト生成部４４、車両通信部４５を備えている。タグリーダ通信部４１は、タグリーダ３のサーバ通信部３２が発信する所持物品のＩＤを取得する。ＩＤリスト生成部４２は、タグリーダ通信部４１で取得されるＩＤをリスト化する。このときに係数ＤＢ４３に記憶されている係数が参照される。なお、係数ＤＢ４３は、ＩＤに応じた係数を記憶しているデータベースである。この係数は、ユーザが常時身につけている物や比較的大きな物は、ユーザを識別する上での価値が大きいとして大きな値が付与され、紛失し易い物や忘れ易い物、さらには比較的小さな物については、ユーザを識別する上での価値が小さいとして小さな値が付与される。すなわち、タグリーダ３により所持物品のＩＤが取得されてから、車両の開錠を行なうまでの間に、入れ替わったり紛失したりする可能性の低いものほど、係数を大きくしている。なお、ユーザは、自己の所有物に付与されているＩＤを予めサーバ４に登録させておく。
【００２８】
図２は、ＩＤと係数との関係の一例を示した図である。例えばＹシャツを脱いでそれをどこかに忘れる確率に対して、ジャケットを脱いでそれをどこかに忘れる確率のほうが高いため、該ジャケットの係数はＹシャツと比較して小さくなる。また、財布等の比較的紛失し易いものは係数が小さくなる。係数は、物品のカテゴリ（上着、下着、時計等）に応じて自動的に付与されるが、ユーザが任意に設定しても良い。ＩＤリスト生成部４２がタグリーダ通信部４１で取得されるＩＤに対して夫々係数ＤＢ４３を参照してリストアップすることでＩＤリストを得る。
【００２９】
開錠条件リスト生成部４４は、ＩＤリスト生成部４２により生成されたＩＤリストに基づいて、開錠条件となるリスト（開錠条件リスト）を生成する。開錠条件リストは、ユーザの所持物品全てを対象にしたものであっても良く、特定の所持物品を対象にしたものであっても良い。ここで、図３は、開錠条件リストの例を示した図である。ユーザの所持物品であるＹシャツ、ジャケット、スラックス、財布、腕時計、ベルトに基づいて開錠条件リストを作成している。開錠リストは、所持物品のＩＤと、このＩＤに対応する評価値と、からなる。評価値とは、ＩＤリストの各係数に比例する値であり、所持物品のＩＤに対応する評価値を合計すると１になるように設定される値である。
【００３０】
そして、車両通信部４５は、車両部５へ開錠条件リストを送信する。この開錠条件リストは、タグリーダ３によりＩＤを受信する毎に生成され、その都度車両部５へ送信される。
【００３１】
図４は、サーバ４における処理のフローを示したフローチャートである。本ルーチンは、タグリーダ３からＩＤを受信すると実行される。
【００３２】
ステップＳ１０１では、ユーザの所持物品のＩＤを全て受信したか否か判定される。例えば、最後のＩＤを受信してから所定時間が経過したときに肯定判定がなされる。ステップＳ１０１で肯定判定がなされた場合にはステップＳ１０２へ進み、否定判定がなされた場合にはステップＳ１０１を再度繰り返す。
【００３３】
次に、ステップＳ１０２では、ＩＤリスト生成部４２が係数ＤＢ４３を参照し、ステップＳ１０３では、受信された全てのＩＤに対応する係数がリストアップされる。
【００３４】
ステップＳ１０４では、開錠条件リスト生成部４４が受信した全てのＩＤに対する評価値が算出され、ステップＳ１０５では、開錠条件リストが作成される。そして、ステップＳ１０６では、車両通信部４５が開錠条件リストを車両部５へ送信する。
【００３５】
次に、車両部５は、車両に搭載されており、サーバ通信部５１、開錠条件リスト記憶部５２、開錠判断部５３、ＩＤ受信部５４、閾値記憶部５５、開錠制御部５６を備えている。
【００３６】
サーバ通信部５１は、サーバ４の車両通信部４５と通信して開錠条件リストを得る。この通信は、無線により行なわれる。開錠条件リスト記憶部５２は、サーバ通信部５１により取得された開錠条件リストを記憶しておく。サーバ４により開錠条件リストが作成されるごとに、開錠条件リスト記憶部５２の記憶内容が更新される。
【００３７】
図５は、開錠条件リストを受信したときの車両部５の処理のフローを示したフローチャートである。ステップＳ２０１において、開錠条件リストが開錠条件リスト記憶部５２に記憶されている。
【００３８】
そして、開錠判断部５３は、開錠条件リスト記憶部５２により記憶されている開錠条件リストと、ＩＤ受信部５４により取得されるＩＤと、から正規のユーザであるか否か判断する。ＩＤ受信部５４は、タグリーダ３のＩＤ受信部３１と同様にしてユーザの所持物品のＩＤを得る。ＩＤ受信部５４により取得されるＩＤを、開錠条件リストに示されるＩＤと比較し、一致するものがあれば、そのＩＤ対して設定されている評価値を積算していく。
【００３９】
この評価値の積算値は、正規のユーザである可能性が高いほど大きな値となり、ユーザの所持物品に全く変化がなければ１となる。ところで、正規のユーザであっても例えば財布や時計を紛失する場合もあり、この場合には評価値の積算値が１よりも小さくなる。このように所持物品は変化することがあるため、本実施例では閾値を設定し、評価値の積算値が閾値以上であれば、正規のユーザであると判断している。この閾値は、閾値記憶部５５に記憶されている。閾値は、ＩＤに応じて設定されている係数が比較的小さな所持物品が例えば１つ足りなくても評価値の積算値が該閾値以上となるように設定される。これは、開錠時の所持物品が、ＩＤリストに示される物品の中の所定の組み合わせを含むときに、評価値の積算値が閾値以上となるように該閾値が設定されているともいえる。なお、本実施例ではＩＤ受信部５４が、本発明における第二取得装置に相当する。
【００４０】
図６は、評価値と閾値との関係を示した図である。例えば閾値を０．９に設定しておくと、紛失し易い財布（評価値０．０５）が不足する場合であっても、評価値の積算値は０．９５となり、これは閾値（０．９）以上であるので、正規のユーザであると判断される。同様に、腕時計（評価値０．１）が不足する場合であっても、評価値の積算値は０．９０となり、これは閾値（０．９）以上であるので、正規のユーザであると判断される。しかし、財布及び腕時計の両方がない場合には、評価値の積算値が０．８５となり閾値（０．９）未満となるので、正規のユーザではないと判断される。一方、紛失し易い財布や腕時計を他人が拾得したとしても、少数であれば評価値の積算値は０．９未満となるので、正規のユーザでないと判断される。
【００４１】
このように、開錠時の所持物品が、ＩＤリストに示される物品の中の所定の組み合わせを含むときに正規のユーザであると判断される。なお、本実施例の場合には、所定の組み合わせが２つあり、１つ目は、Ｙシャツ、スラックス、ベルト、ジャケット、及び腕時計の組み合わせである。また、２つ目は、Ｙシャツ、スラックス、ベルト、ジャケット、及び財布の組み合わせである。この２つのうちの何れかの組み合わせを含むときに正規のユーザであると判断される。
【００４２】
そして、開錠判断部５３において、評価値の積算値が０．９以上であると判断されると、開錠制御部５６に信号を出力する。開錠制御部５６は、開錠判断部５３からの信号を受
けると、開錠を行なう。この開錠は、車両のドアに設けられている錠を開くものであっても良く、エンジンを始動させないための装置を解除するものであっても良い。なお、本実施例では開錠判断部５３及び開錠制御部５６が、本発明における制御装置に相当する。
【００４３】
図７は、本実施例に係る車両部５における処理のフローを示したフローチャートである。本ルーチンは、ＩＤ受信部５４がＩＤを受信すると実行される。
【００４４】
ステップＳ３０１では、ＩＤ受信部５４がユーザの所持物品のＩＤを全て受信したか否か判定される。本ステップでは、ステップＳ１０１と同様の処理がなされる。ステップＳ３０１で肯定判定がなされた場合にはステップＳ３０２へ進み、否定判定がなされた場合にはステップＳ３０１を再度繰り返す。
【００４５】
ステップＳ３０２では、開錠判断部５３が、ＩＤ受信部５４から全てのＩＤを受け取り、ステップＳ３０３では、開錠判断部５３が、開錠条件リスト記憶部５２から開錠条件リストを取り出す。
【００４６】
ステップＳ３０４では、ＩＤ受信部５４が受信した全てのＩＤの中で開錠条件リストに存在するＩＤの評価値を積算する。そして、ステップＳ３０５では、開錠判断部５３が閾値記憶部５５から閾値を取り出す。
【００４７】
ステップＳ３０６では、評価値の積算値が閾値以上であるか否か判定される。ステップＳ３０６で肯定判定がなされた場合にはステップＳ３０７へ進んで開錠制御部５６へ信号を送る。一方、否定判定がなされた場合には、開錠制御部５６に信号を送ることなく本ルーチンを終了させる。すなわち、開錠を行なわない。
【００４８】
以上説明したように本実施例によれば、ユーザの外出時の所持物品に基づいて開錠の判断を行なうため、ユーザが鍵を携行する必要がなく、パスワード等を記憶する必要もない。さらに、所持物品に重み付けがなされているため、紛失し易いものを紛失したとしても、その数が少なければ開錠することができる。また、ユーザの所持物品を他人が拾得しても、その数が少なければ開錠することはない。自宅の玄関にタグリーダ３を設置しておけば、外出するたびに所持物品が異なっていても、その都度ＩＤを読み込むことができる。
【００４９】
なお、本実施例では係数に基づいて評価値を算出し、該評価値を利用して開錠の判断を行なっているが、係数をそのまま利用して開錠の判断を行なっても良い。すなわち、タグリーダ３により読み込まれたＩＤから、所持物品の夫々の係数を求め、該係数の積算値を算出する。また、車両部５のＩＤ受信部５４により読み込まれたＩＤからも同様にして、係数の積算値を算出する。この車両部５のＩＤ受信部５４により得られる係数の積算値が、タグリーダ３により得られる係数の積算値の例えば９割以上であれば開錠する。つまり、タグリーダ３により得られる係数の積算値に上述の閾値を乗じた値以上であれば開錠する。従って、本実施例では閾値が、本発明における所定の割合に相当する。
【００５０】
なお、本実施例では開錠する場合について説明したが、本実施例に係る開錠の条件が成立しない場合には施錠しても良い。例えば、ＩＤ受信部５４が定期的にＩＤを受信し、開錠判断部５３は、開錠条件リスト記憶部５２により記憶されている開錠条件リストと、ＩＤ受信部５４により取得されるＩＤと、から正規のユーザが存在するか否か判断する。そして、正規のユーザが存在せず且つ車両が停止している状態であれば施錠する。
【実施例２】
【００５１】
本実施例では、評価値の積算値が閾値未満であり且つ第二閾値以上の場合には、他の認証手段により開錠の判断を行なう。この第二閾値は、実施例１で説明した閾値よりも小さ
な値であり、例えば０．７である。第二閾値は、所持物品が複数不足する状態ではあるが、正規のユーザの可能性があるような値に設定される。逆に、第二閾値未満であれば、正規のユーザではないと判断できる値として該第二閾値を設定しても良い。第二閾値は、閾値記憶部５５に記憶される。
【００５２】
図８は、評価値と閾値との関係を示した図である。例えば閾値を０．９に設定し、第二閾値を０．７に設定しておくと、例えば財布、腕時計、及びジャケットが足りない場合には評価値の積算値は０．７となり、この値は第二閾値（０．７）以上で且つ閾値（０．９）未満であるので、他の認証手段により開錠の判断を行なう。
【００５３】
他の認証手段は、タグリーダ３により取得された所持物品の情報とは関係なく開錠の判断を行なう。例えば、携帯電話ＵＩ等を利用したチャレンジ＆レスポンスによる認証、ＰＩＮ情報の入力による認証、ユーザしか知らない事項の質問に対する回答を得ることによる認証、または生体認証を行なう。
【００５４】
図９は、本実施例に係る車両部５における処理のフローを示したフローチャートである。本ルーチンは、ＩＤ受信部５４がＩＤを受信すると実行される。なお、図７に示したフローと同じ処理がなされるステップについては同じ符号を付して説明を省略する。
【００５５】
ステップＳ４０１では、開錠判断部５３が閾値記憶部５５から閾値及び第二閾値を取り出す。そして、ステップＳ４０２では、評価値の積算値が第二閾値以上で且つ閾値未満であるか否か判定される。ステップＳ４０２で肯定判定がなされた場合にはステップＳ４０３へ進み、否定判定がなされた場合にはステップＳ３０６へ進む。
【００５６】
ステップＳ４０３では、開錠判断部５３が他の認証手段による認証に成功したか否か判定される。ステップＳ４０３で肯定判定がなされた場合にはステップＳ３０７へ進んで開錠制御部５６へ信号を送る。一方、否定判定がなされた場合には、開錠制御部５６に信号を送ることなく本ルーチンを終了させる。すなわち、開錠を行なわない。
【００５７】
以上説明したように本実施例によれば、正規のユーザであるか疑いがあるときには、別途他の認証手段を併用することにより、正規のユーザであるか否かの判断の精度を高めることができる。これにより、正規のユーザであるにも関わらず開錠されないことを抑制できる。また、正規のユーザの所持物品を拾得した第三者により開錠されることを抑制できる。そして、他の認証手段により認証を行なうのは、評価値の積算値が比較的小さな場合に限られるために、ユーザがこの認証を強いられることもあまり無いので、利便性も確保できる。
【００５８】
なお、本実施例においても、係数をそのまま利用して開錠の判断を行なっても良い。従って、本実施例では第二閾値が、本発明における第二の所定の割合に相当する。
【符号の説明】
【００５９】
１     施錠装置
２     ＲＦＩＤタグ
３     タグリーダ
４     サーバ
５     車両部
２１   ＩＤ記憶部
３１   ＩＤ受信部
３２   サーバ通信部
４１   タグリーダ通信部
４２   ＩＤリスト生成部
４３   係数ＤＢ
４４   開錠条件リスト生成部
４５   車両通信部
５１   サーバ通信部
５２   開錠条件リスト記憶部
５３   開錠判断部
５４   ＩＤ受信部
５５   閾値記憶部
５６   開錠制御部
【図１】
2011132674.tif 000003
【図２】
2011132674.tif 000004
【図３】
2011132674.tif 000005
【図４】
2011132674.tif 000006
【図５】
2011132674.tif 000007
【図６】
2011132674.tif 000008
【図７】
2011132674.tif 000009
【図８】
2011132674.tif 000010
【図９】
2011132674.tif 000011